【事件の表示】
　特許第３０６９０３６号「ピルファープルーフキャップ」の請求項１に係る特許に対する特許異議の申立てについて、次のとおり決定する。
【結　論】
　訂正を認める。
　特許第３０６９０３６号の請求項１に係る特許を維持する。
【理　由】
１．手続の経緯
　特許第３０６９０３６号は、平成８年２月５日に出願され、平成１２年５月１９日に特許権の設定登録がなされ、特許掲載公報が平成１２年７月２４日に発行され、平成１３年１月２４日付けで瀬川忠世より、特許異議の申立てがなされ、取消理由通知がなされ、その指定期間内である平成１３年６月４日に意見書の提出と共に訂正請求がなされたものである。　
　
２．訂正の適否についての判断
（１）訂正の内容
・訂正Ａ
　特許請求の範囲の
「【請求項１】　外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　前記ねじ蓋１の内部のうちその上部に軟質合成樹脂製のパッキン９が取り付けられている一方、
　前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　前記ねじ蓋１における筒部３の上端部内周面に環状凹所１２が形成されている一方、
　前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されており、
　前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　更に、パッキン９の筒状縁部９ａと瓶口Ａ１との間に隙間が空くように設定していること、
を特徴とする合成樹脂製のピルファープルーフキャップ。」
という記載を、
「【請求項１】　外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　前記ねじ蓋１の内部のうちその上部に軟質合成樹脂製のパッキン９が取り付けられている一方、
　前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　前記ねじ蓋１における筒部３の上端部内周面に環状凹所１２が形成されている一方、
　前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されており、
　前記中栓部１０は、瓶口Ａ１に密着する外筒部とその内側に位置した内筒部とを下端において一体に連設した二重筒状に形成されており、
　前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　更に、パッキン９の筒状縁部９ａと瓶口Ａ１との間に隙間が空くように設定していること、
を特徴とする合成樹脂製のピルファープルーフキャップ。」
と訂正する。
・訂正Ｂ
１）明細書の段落番号【００１２】の
「そして、前記ねじ蓋１における筒部３の上端部内周面に環状凹所１２が形成されている一方、前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されている。」
という記載を、
「そして、前記ねじ蓋１における筒部３の上端部内周面に環状凹所１２が形成されている一方、前記パッキン９には、前記瓶口Ａ１の内部にきっちり嵌入して瓶口Ａ１をシールする筒状の中栓部１０と、前記ねじ蓋１の環状凹所１２に嵌合する下向きの筒状縁部９ａとが形成されており、前記中栓部１０は、瓶口Ａ１に密着する外筒部とその内側に内した内筒部とを下端において一体に連設した二重筒状に形成されている。」
と訂正する。
２）明細書の段落番号【００１５】の
「そして、ねじ蓋とは別体のパッキンに中栓部を形成して、この中栓部を瓶口の内周面に嵌め込んだものであるから、パッキンを、その中栓部が瓶口の内周面に強く突っ張るように形態にしたり、熱によって塑性変形しにくい素材を選定したりすることができ、従って、真空充填した瓶に適用した場合であっても、加温した液体による熱のためにパッキンが塑性変形したり、へたり現象を生じたりすることはない。」
という記載を、
「そして、ねじ蓋とは別体のパッキンに中栓部を形成して、この中栓部を瓶口の内周面に嵌め込んだものであるから、パッキンを、その中栓部を二重筒状に形成して瓶口に強く突っ張らせたり、熱によって塑性変形しにくい素材を選定したりすることができ、従って、真空充填した瓶に適用した場合であっても、加温した液体による熱のためにパッキンが塑性変形したり、へたり現象を生じたりすることはない。」
と訂正する。
３）明細書の段落番号【００１７】の
「また、パッキンの外周縁には下向きの筒状部が形成されているため、パッキンの外周部は変形しにくくなり、その結果、中栓部によって瓶口をきっちりシールできるものでありながら、ねじ蓋のねじ戻しによってパッキンの中栓部を瓶口から抜き出すことを確実ならしめることができる。」
という記載を、
「また、パッキンの外周縁には下向きの筒状部が形成されているため、パッキンの外周部は変形しにくくなり、その結果、二重筒状の中栓部によって瓶口をきっちりシールできるものでありながら、ねじ蓋のねじ戻しによってパッキンの中栓部を瓶口から抜き出すことを確実ならしめることができる。」
と訂正する。
４）明細書の段落番号【００２１】の
「前記ねじ蓋１の内部のうちその上部には、ポリエチレン等の軟質合成樹脂から成るパッキン９を装着している。このパッキン９は、その略全体がねじ蓋１の天板部２に密着するように形成されていて、瓶口Ａ１の内周面にきっちり嵌まり込む二重筒状の中栓部１０を下向きに突設している。中栓部１０の外周面には、上下２段の環状突起１１を形成して、この環状突起１１で瓶口Ａ１をシールしている。パッキン９のうち瓶口Ａ１の頂面に当たる部位にも、環状突起を下向きに突設している。」
という記載を、
「前記ねじ蓋１の内部のうちその上部には、ポリエチレン等の軟質合成樹脂から成るパッキン９を装着している。このパッキン９は、その略全体がねじ蓋１の天板部２に密着するように形成されていて、瓶口Ａ１の内周面にきっちり嵌まり込む二重筒状の中栓部１０を下向きに突設している。すなわち、瓶口Ａ１に密着する外筒部その内側に位置した内筒部とを下端において一体に連設した二重筒状の中栓部１０が形成されている。中栓部１０の外周面には、上下２段の環状突起１１を形成して、この環状突起１１で瓶口Ａ１をシールしている。パッキン９のうち瓶口Ａ１の頂面に当たる部位にも、環状突起を下向きに突設している。」
と訂正する。
５）明細書の段落番号【００２７】の
「すると、不注意やいたずらによって開封に至らない状態にねじ蓋１をねじ戻しても、パッキン９の中栓部１０は瓶口Ａ１の内周面に嵌合したままであるから、瓶Ａの内部は減圧状態に保持されたままとなって、密封状態が確実に保持されるのである。また、パッキン９はねじ蓋１とは別体に構成されているから、実施形態のように中栓部１０を二重筒状に形成するなど、瓶口Ａ１に対して強く突っ張った状態が保持される断面形状に形成することができ、従って、ホット充填法によって包装する瓶Ａに使用する場合であっても、熱によるへたり現象を生じることなく、密封状態を確保できるのである。」
という記載を、
「すると、不注意やいたずらによって開封に至らない状態にねじ蓋１をねじ戻しても、パッキン９の中栓部１０は瓶口Ａ１の内周面に嵌合したままであるから、瓶Ａの内部は減圧状態に保持されたままとなって、密封状態が確実に保持されるのである。また、パッキン９はねじ蓋１とは別体に構成されているから、中栓部１０は瓶口Ａ１に対して強く突っ張る二重筒状に形成することができ、従って、ホット充填法によって包装する瓶Ａに使用する場合であっても、熱によるへたり現象を生じることなく、密封状態を確保できるのである。」
と訂正する。
６）明細書の段落番号【００２８】の
「図３に示すのは第２実施形態である。この実施例では、パッキン９の筒状縁部９ａの下端とねじ蓋１の環状凹所１２の下端との間に隙間を空けることにより、ねじ蓋１とパッキン９とが上下方向に相対的に摺動し得るように構成するにおいて、パッキン９とねじ蓋１とが相対的に上下摺動し得る寸法Ｌ３を、開封に要するねじ蓋１の上昇動ストロークＬ１と同じ程度の寸法に設定し、更に、中栓部１０が瓶口Ａ１の内周面に嵌合している上下長さ寸法Ｌ２を、前記ねじ蓋１のストロークＬ１と同じ程度かやや大きい程度の寸法に設定している。この場合、（Ｌ２＋Ｌ３）＞Ｌ１であれば良い。」
という記載を、
「図３では、パッキン９の筒状縁部９ａの下端とねじ蓋１の環状凹所１２の下端との間に隙間を空けることにより、ねじ蓋１とパッキン９とが上下方向に相対的に摺動し得るように構成するにおいて、パッキン９とねじ蓋１とが相対的に上下摺動し得る寸法Ｌ３を、開封に要するねじ蓋１の上昇動ストロークＬ１と同じ程度の寸法に設定し、更に、中栓部１０が瓶口Ａ１の内周面に嵌合している上下長さ寸法Ｌ２を、前記ねじ蓋１のストロークＬ１と同じ程度かやや大きい程度の寸法に設定している。この場合、（Ｌ２＋Ｌ３）＞Ｌ１であれば良い。」
と訂正する。
７）明細書の段落番号【００３０】の
「この第２実施形態ににおいては、ねじ蓋１をねじ戻しても、脆弱部４が千切れて開封されるまではパッキン９は上昇しないため、瓶Ａの内部は減圧状態により確実に保持される。この実施形態では、中栓部１０は底部１０ａを有する上向き開口の皿状に形成されており、その底部１０ａの弾性力によっても、中栓部１０は瓶口Ａ１に対して突っ張った状態になる。なお、一点鎖線で示すように、ねじ蓋１の天板部２に、中栓部１０の底板１０ａに当たる筒部１３を形成することにより、底板１０ａの変形を防止しても良い。」
という記載を、
「この図３においては、ねじ蓋１をねじ戻しても、脆弱部４が千切れて開封されるまではパッキン９は上昇しないため、瓶Ａの内部は減圧状態により確実に保持される。この図３では、本発明とは異なって、中栓部１０は底部１０ａを有する上向き開口の皿状に形成されており、その底部１０ａの弾性力によっても、中栓部１０は瓶口Ａ１に対して突っ張った状態になる。なお、一点鎖線で示すように、ねじ蓋１の天板部２に、中栓部１０の底板１０ａに当たる筒部１３を形成することにより、底板１０ａの変形を防止しても良い。」
と訂正する。
８）明細書の段落【図面の簡単な説明】の
「【図３】第２実施例の一部断面図である。」
という記載を、
「【図３】参考図の一部断面図である。」
と訂正する。
・訂正Ｃ
　特許請求の範囲の【請求項１】の第６段の「ねじ蓋９」という記載を、「ねじ蓋１」と訂正する。
（２）訂正の目的の適否、新規事項の追加及び拡張・変更の存否
　訂正Ａは、中栓部が二重筒状である点を追加したもので、特許請求の範囲の減縮に該当し、出願当初の図１、図２、および段落番号【００２１】の記載に基づくものであり、訂正Ｂは、訂正Ａとの整合を図るものであるから、明りょうでない記載の釈明に該当し、訂正Ｃは明らかな誤記の訂正に該当する。
  そして、いずれの訂正も特許明細書又は図面に記載した事項の範囲内のものであるから、新規事項の追加ではなく、実質上特許請求の範囲を拡張しまたは変更するものでもない。
（３）むすび
　したがって、訂正Ａないし訂正Ｃは、いずれも特許法第１２０条の４第２項及び同条第３項において準用する特許法第１２６条第２項から第４項までの規定に適合するので、当該訂正を認める。
　
３．特許異議の申立てについての判断
（１）本件発明
　本件請求項１に係る発明（以下、「本件発明」という。）は、前記訂正が認められた結果、平成１３年６月４日付けで提出された全文訂正明細書の特許請求の範囲の請求項１に記載された以下のとおりのものである。
「Ａ）外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　Ｂ）前記ねじ蓋１の内部のうちその上部に軟質合成樹脂製のパッキン９が取り付けられている一方、
　Ｃ）前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　Ｄ）リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　Ｅ）前記ねじ蓋１における筒部３の上端部内周面に環状凹所１２が形成されている一方、
　Ｆ）前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されており、
　Ｇ）前記中栓部１０は、瓶口Ａ１に密着する外筒部とその内側に位置した内筒部とを下端において一体に連設した二重筒状に形成されており、
　Ｈ１）前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　Ｈ２）又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　Ｉ）更に、パッキン９の筒状縁部９ａと瓶口Ａ１との間に隙間が空くように設定していること、
　Ｊ）を特徴とする合成樹脂製のピルファープルーフキャップ。」
（符号Ａ〜Ｊは当審で付した。）
（２）申立ての理由の概要
　申立人瀬川忠世は、証拠として　
甲第１号証：米国特許第５０３１７８７号明細書
甲第２号証：実公昭６０−３７３１１号公報　
甲第３号証：実公昭５８−２２９４０号公報
を提出し、本件の請求項１に係る発明は、その出願前公知の甲第１号証ないし甲第３号証に記載された発明に基づいて、当業者が容易に発明することができたものであるから、本件請求項１に係る特許は、特許法第２９条第２項の規定に違反してなされたものである旨主張している。
（３）申立人が提出した甲各号証の記載事項
・甲第１号証
　栓体に関するものであり、図面と共に以下の事項が開示されている。（記載事項は申立書添付の翻訳文による。）
ａ）「真空開放のために容易にディスクを持ち上げられるようにするために、蓋シェルの内側に持ち上げ手段を設けることが知られている。即ち、容器を開けるために蓋をひねったときに、この持ち上げ手段がディスクに向かって上方に移動し、ディスクの緑と係合してこれを持ち上げて真空を解除するのである。蓋によっては、シェルの内側の一つ又は複数のネジ部の上端が、ディスクに係合し、ディスクを持ち上げるように構成されているものもある。」（１欄３３〜３９行）
ｂ）「このパッケージ１０は、図１に示すように、容器１１と蓋１２とから成っている。容器１１は、１以上の外方ネジ１６と頂部の密封用リム１７とを備えた上部ないし端部１５を有している。ネジの下に、端部は下向きの面の係止表面１９を備えた環状係止リブ１８を有している(示されるように、係止リブ１８の機能は、蓋が開栓されるとき破壊されるタンパーエビデンス機構を生じることにある)。蓋１２は複合蓋であって、別に形成された頂板ないしインサートディスク２５を有し、それは外周シェル２６内に支持されている。シェル２６は、インサートディスク２５の端縁と重なり合う頂部リップ２７と、容器１１の外方ネジ１６と協同する１以上の内方ネジ２９を備えた円筒状スカート２８とを有している。実施例で示したディスク２５は、頂部表面５１と、周辺の下向きに曲がったフランジ５２と、下方端部５３とを有している。ガスケット又はライナー５４がインサートディスク内に着座するか接着されていて、容器リム１７との間にシールを形成する。
蓋１２は、好適にはバンド３４の形のタンパーエビデンス機構を有していて、このバンドはスカート２８の下端３５に破断可能に結合している。図示する実施例において、タンパーエビデンス用のバンド３４は、小さなブリッジ３８によりスカート２８に結合している。周状のスコア線３９が、バンドとスカートとを、ブリッジ３８を残して分離している。バンド３４は、その下端のまわりにバンドリテイナー４２を有し、その使用状態で、バンド３４の下端から上向き且つ内向きに延びていて、蓋を開栓のために旋回するとき、係止ビード１８の下方の容器表面１９と係合する。」 （３欄３〜３２行）
ｃ）「スカート２８は、その内表面にディスク持ち上げ用ビード４８を有している。このビード４８は、シェルのネジ２９の上端４４に位置していることが重要である。即ち、シェルのネジ２９はビード４８の上方に延びていてはいけなく、好適にはビード４８と一緒になっているべきである。ビード４８はディスク２５の端縁を越えて内向きに延びており、即ち、その内径はディスクの内径より小さくあるべきであり、それにより、蓋を取り除くために旋回するとき、ビードがディスクと係合し、ディスクを持ち上げ、バキュームをブレークする。ビード４８の内径は、外方ネジをクリアーし、それによりディスク２５を持ち上げ得るほどに小径であるべきである。」（３欄６０行〜４欄３行）
ｄ）「ディスク２５は、頂部リップ２７とビード４８との間でシェル２６内に拘束されており、第２図のＦで示されるように、ビード４８は、ディスクの下端５３と接触するまでに、ある量の浮遊移動を生じうる。蓋シェル２６が開栓のために旋回されると、蓋は容器ネジ１６に乗って持ち上がり、ビード４８はディスクの下端５３と係合し、インサートディスクに持ち上げ力を加え始める。」（４欄１５〜２３行）
ｅ）「容器が真空にされ、シールされたとき、ディスク２５上の大気圧がディスクの下に圧力を及ぼし、ディスクに下向きの差圧による力を作用させ、ガスケット５４を容器リム１７と密封係合させる。蓋の頂部リップ２７は、ディスクの頂部と係合しこれを押圧しているが、シールは、原則的には、リップの力によるよりも、差圧によって維持されている。」（４欄３６〜４３行）
ｆ）「ビード４８がディスクと係合し且つこれを持ち上げてバキュームをブレークする前に、タンパーエビデンスバンド３４が破断されることが望ましい。このことは、翻って、ビード４８がディスクと係合してこれを持ち上げる前には、バンドリテイナー４２が係止リブ１８の表面と係合し、破断可能な機構３８のブレークを生ずるようには蓋がねじられないことを必要とする。もしも、タンパーエビデンスバンド３４が破断され、蓋１１から部分的にあるいは完全に分離されれば、たとえ、シールが実際にブレークされていなくとも、タンパーリング(いじくられたこと)が明白となる。この態様では、インサートディスク２５は、最初にタンパーエビデンスバンドが分離されることなしには、持ち上げることができない。」（４欄５７〜６８行）
・甲第２号証
　キャップに関するものであり、図面と共に以下の事項が開示されている。
ｇ）「本考案は、前記のごとき目的を達成せんがため、内周面に雌ねじ部を設けた合成樹脂樹脂製のキャップにおいて、天板部寄りの雌ねじ部の終端部にねじ山の山径と略々同径の凸環状部を設けると共に、その凸環状部と天板部との間にねじ山の谷径より大径の嵌合凹部を設け、（か）かつ該嵌合凹部の内周壁に、前記凸環状部の内径と嵌合凹部の内径との差より小さい高さのガタ止め突起を形成し、その嵌合凹部中にパッキングや中栓を嵌着保持するようにしたものである。」（２欄１２〜２１行）
ｈ）「第３図に示すように、パッキング５の代わりに、軟質樹脂等の中栓５１を嵌合凹部７に嵌合保持することができる。特にこの場合、中栓５１は環状突起８１により水平に保持されているので、キャップの中心軸と中栓５１の中心軸とが正確に合致し、キャップをビン口に装着することにより、中栓５１をビン口中に確実に挿入することができる。」（３欄３７〜４４行、３図参照。）
・甲第３号証
　壜体口部とキャップとに係る構造に関するものであり、図面と共に以下の事項が開示されている。　
ｉ）「３０は軟質合成樹脂材料による弾性変形が可能な有底板筒形状の中栓であって、前述の壜体口部１１内にぴったりと嵌入する周壁３１の外周面上端に鍔部３２を周設し、更に当該鍔部３２の終端に外方向に突出する態様で係合片３３が設けられている。」（２欄２６〜３１行）
（４）当審の判断
　本件発明と甲第１号証ないし甲第３号証に記載された発明とを対比すると、後者にはその何れにも本件発明の構成Ｇ（中栓部は、瓶口に密着する外筒部とその内側に位置した内筒部とを下端において一体に連設した二重筒状に形成されている）がなく、また、甲第１号証ないし甲第３号証にはこれを示唆する記載もない。
　本件発明は前記構成Ｇを有することにより、流通段階で不注意やいたずらによってねじ蓋が開封に至らない状態までねじ戻された場合であっても、密封状態を確実に保持できる、等の明細書記載の効果に加えて、瓶口及びパッキンに加工誤差があっても、瓶をきっちりとシールすることができる、瓶の内部の負圧作用により、パッキンを瓶の内部に強く引っ張った状態に保持することができ、密封機能を向上することができる、という効果をも期待することができるものである。（特許異議意見書３頁）
　したがって、本件請求項１に係る発明は、甲第１号証ないし甲第３号証に記載された発明に基づいて、当業者が容易に発明をすることができたものであるとはいえず、本件請求項１に係る特許は特許法第２９条第２項の規定に違反してなされたものではない。
　申立人は、甲第１号証に記載された発明におけるパッキンとして、甲第２号証または甲第３号証に記載された発明における中栓部を備えたものを適用すれば、本件発明の構成となり、このものと本件発明とは作用効果に格別の差異がない旨主張するが、本件発明は、訂正請求により構成Ｇが付加されており、この構成Ｇが甲第１号証ないし甲第３号証には記載されておらず、周知の事項でもなく、甲第１号証ないし甲第３号証に記載された発明が奏することのできない特有の効果を有することは、前述のとおりである。
　
４．取消理由についての判断
  当審では、本件請求項１に係る発明は、刊行物１（米国特許第５０３１７８７号明細書）（異議申立人提出の甲第１号証）および刊行物２（実願昭６３−１７０２１５号＜実開平２−９３２５０号＞のマイクロフィルム）に記載された発明に基づいて当業者が容易に発明をすることができたものであるから、本件請求項１に係る特許は特許法第２９条第２項の規定により特許を受けることができない旨の取消理由を通知した。
  刊行物１には、前記「３−（３）甲第１号証」記載のとおりの事項が開示されており、刊行物２には、ピルファープルーフキャップにおいて、パッキンとして容器口の内部にきっちり嵌入して容器をシールする筒状の中栓部を有するものを設けることが記載されている。（実施例に関する記載）
　そこで、本件発明と刊行物１および刊行物２に記載された発明とを対比すると、後者にはその何れにも本件発明の構成Ｇがなく、また、刊行物１および刊行物２にはこれを示唆する記載もない。
　本件発明は前記構成Ｇを有することにより、前記「３−（４）」記載のとおりの特有の効果を奏するものであり、本件請求項１に係る発明は、刊行物１および刊行物２に記載された発明に基づいて、当業者が容易に発明をすることができたものであるとはいえず、本件請求項１に係る特許は特許法第２９条第２項の規定に違反してなされたものではない
　
５．むすび
　したがって、特許異議の申立ての理由および証拠によっては、本件特許請求の範囲の請求項１に係る特許を取り消すことはできない。また、他に本件特許請求の範囲の請求項１に係る特許を取り消すべき理由を発見しない。
　よって、結論のとおり決定する。
【異議決定日】
平成１３年６月１４日（２００１．６．１４）
【訂正の要旨】
訂正の要旨
　特許第３０６９０３６号の明細書を、
（Ａ）特許請求の範囲の減縮を目的として、
特許請求の範囲の
「【請求項１】　外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　前記ねじ蓋１の内部のうちその上部に軟質合成樹脂製のパッキン９が取り付けられている一方、
　前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　前記ねじ蓋１における筒部３の上端部内周面に環状凹所１２が形成されている一方、
　前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されており、
　前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　更に、パッキン９の筒状縁部９ａと瓶口Ａ１との間に隙間が空くように設定していること、
を特徴とする合成樹脂製のピルファープルーフキャップ。」
という記載を、
「【請求項１】　外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　前記ねじ蓋１の内部のうちその上部に軟質合成樹脂製のパッキン９が取り付けられている一方、
　前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　前記ねじ蓋１における筒部３の上端部内周面に環状凹所１２が形成されている一方、
　前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されており、
　前記中栓部１０は、瓶口Ａ１に密着する外筒部とその内側に位置した内筒部とを下端において一体に連設した二重筒状に形成されており、
　前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　更に、パッキン９の筒状縁部９ａと瓶口Ａ１との間に隙間が空くように設定していること、
を特徴とする合成樹脂製のピルファープルーフキャップ。」
と訂正する。
（Ｂ）明りょうでない記載の釈明を目的として、
１）明細書の段落番号【００１２】の
「そして、前記ねじ蓋１における筒部３の上端部内周面に環状凹所１２が形成されている一方、前記パッキン９には、前記瓶口Ａ１の内部にきっちり嵌入して瓶口Ａ１をシールする筒状の中栓部１０と、前記ねじ蓋９の環状凹所１２に嵌合する下向きの筒状縁部９ａとが形成されている。」
という記載を、
「そして、前記ねじ蓋１における筒部３の上端部内周面に環状凹所１２が形成されている一方、前記パッキン９には、前記瓶口Ａ１の内部にきっちり嵌入して瓶口Ａ１をシールする筒状の中栓部１０と、前記ねじ蓋１の環状凹所１２に嵌合する下向きの筒状縁部９ａとが形成されており、前記中栓部１０は、瓶口Ａ１に密着する外筒部とその内側に内した内筒部とを下端において一体に連設した二重筒状に形成されている。」
と訂正し、
２）明細書の段落番号【００１５】の
「そして、ねじ蓋とは別体のパッキンに中栓部を形成して、この中栓部を瓶口の内周面に嵌め込んだものであるから、パッキンを、その中栓部が瓶口の内周面に強く突っ張るように形態にしたり、熱によって塑性変形しにくい素材を選定したりすることができ、従って、真空充填した瓶に適用した場合であっても、加温した液体による熱のためにパッキンが塑性変形したり、へたり現象を生じたりすることはない。」
という記載を、
「そして、ねじ蓋とは別体のパッキンに中栓部を形成して、この中栓部を瓶口の内周面に嵌め込んだものであるから、パッキンを、その中栓部を二重筒状に形成して瓶口に強く突っ張らせたり、熱によって塑性変形しにくい素材を選定したりすることができ、従って、真空充填した瓶に適用した場合であっても、加温した液体による熱のためにパッキンが塑性変形したり、へたり現象を生じたりすることはない。」
と訂正し、
３）明細書の段落番号【００１７】の
「また、パッキンの外周縁には下向きの筒状部が形成されているため、パッキンの外周部は変形しにくくなり、その結果、中栓部によって瓶口をきっちりシールできるものでありながら、ねじ蓋のねじ戻しによってパッキンの中栓部を瓶口から抜き出すことを確実ならしめることができる。」
という記載を、
「また、パッキンの外周縁には下向きの筒状部が形成されているため、パッキンの外周部は変形しにくくなり、その結果、二重筒状の中栓部によって瓶口をきっちりシールできるものでありながら、ねじ蓋のねじ戻しによってパッキンの中栓部を瓶口から抜き出すことを確実ならしめることができる。」
と訂正し、
４）明細書の段落番号【００２１】の
「前記ねじ蓋１の内部のうちその上部には、ポリエチレン等の軟質合成樹脂から成るパッキン９を装着している。このパッキン９は、その略全体がねじ蓋１の天板部２に密着するように形成されていて、瓶口Ａ１の内周面にきっちり嵌まり込む二重筒状の中栓部１０を下向きに突設している。中栓部１０の外周面には、上下２段の環状突起１１を形成して、この環状突起１１で瓶口Ａ１をシールしている。パッキン９のうち瓶口Ａ１の頂面に当たる部位にも、環状突起を下向きに突設している。」
という記載を、
「前記ねじ蓋１の内部のうちその上部には、ポリエチレン等の軟質合成樹脂から成るパッキン９を装着している。このパッキン９は、その略全体がねじ蓋１の天板部２に密着するように形成されていて、瓶口Ａ１の内周面にきっちり嵌まり込む二重筒状の中栓部１０を下向きに突設している。すなわち、瓶口Ａ１に密着する外筒部その内側に位置した内筒部とを下端において一体に連設した二重筒状の中栓部１０が形成されている。中栓部１０の外周面には、上下２段の環状突起１１を形成して、この環状突起１１で瓶口Ａ１をシールしている。パッキン９のうち瓶口Ａ１の頂面に当たる部位にも、環状突起を下向きに突設している。」
と訂正し、
５）明細書の段落番号【００２７】の
「すると、不注意やいたずらによって開封に至らない状態にねじ蓋１をねじ戻しても、パッキン９の中栓部１０は瓶口Ａ１の内周面に嵌合したままであるから、瓶Ａの内部は減圧状態に保持されたままとなって、密封状態が確実に保持されるのである。また、パッキン９はねじ蓋１とは別体に構成されているから、実施形態のように中栓部１０を二重筒状に形成するなど、瓶口Ａ１に対して強く突っ張った状態が保持される断面形状に形成することができ、従って、ホット充填法によって包装する瓶Ａに使用する場合であっても、熱によるへたり現象を生じることなく、密封状態を確保できるのである。」
という記載を、
「すると、不注意やいたずらによって開封に至らない状態にねじ蓋１をねじ戻しても、パッキン９の中栓部１０は瓶口Ａ１の内周面に嵌合したままであるから、瓶Ａの内部は減圧状態に保持されたままとなって、密封状態が確実に保持されるのである。また、パッキン９はねじ蓋１とは別体に構成されているから、中栓部１０は瓶口Ａ１に対して強く突っ張る二重筒状に形成することができ、従って、ホット充填法によって包装する瓶Ａに使用する場合であっても、熱によるへたり現象を生じることなく、密封状態を確保できるのである。」
と訂正し、
６）明細書の段落番号【００２８】の
「図３に示すのは第２実施形態である。この実施例では、パッキン９の筒状縁部９ａの下端とねじ蓋１の環状凹所１２の下端との間に隙間を空けることにより、ねじ蓋１とパッキン９とが上下方向に相対的に摺動し得るように構成するにおいて、パッキン９とねじ蓋１とが相対的に上下摺動し得る寸法Ｌ３を、開封に要するねじ蓋１の上昇動ストロークＬ１と同じ程度の寸法に設定し、更に、中栓部１０が瓶口Ａ１の内周面に嵌合している上下長さ寸法Ｌ２を、前記ねじ蓋１のストロークＬ１と同じ程度かやや大きい程度の寸法に設定している。この場合、（Ｌ２＋Ｌ３）＞Ｌ１であれば良い。」
という記載を、
「図３では、パッキン９の筒状縁部９ａの下端とねじ蓋１の環状凹所１２の下端との間に隙間を空けることにより、ねじ蓋１とパッキン９とが上下方向に相対的に摺動し得るように構成するにおいて、パッキン９とねじ蓋１とが相対的に上下摺動し得る寸法Ｌ３を、開封に要するねじ蓋１の上昇動ストロークＬ１と同じ程度の寸法に設定し、更に、中栓部１０が瓶口Ａ１の内周面に嵌合している上下長さ寸法Ｌ２を、前記ねじ蓋１のストロークＬ１と同じ程度かやや大きい程度の寸法に設定している。この場合、（Ｌ２＋Ｌ３）＞Ｌ１であれば良い。」
と訂正し、
７）明細書の段落番号【００３０】の
「この第２実施形態ににおいては、ねじ蓋１をねじ戻しても、脆弱部４が千切れて開封されるまではパッキン９は上昇しないため、瓶Ａの内部は減圧状態により確実に保持される。この実施形態では、中栓部１０は底部１０ａを有する上向き開口の皿状に形成されており、その底部１０ａの弾性力によっても、中栓部１０は瓶口Ａ１に対して突っ張った状態になる。なお、一点鎖線で示すように、ねじ蓋１の天板部２に、中栓部１０の底板１０ａに当たる筒部１３を形成することにより、底板１０ａの変形を防止しても良い。」
という記載を、
「この図３においては、ねじ蓋１をねじ戻しても、脆弱部４が千切れて開封されるまではパッキン９は上昇しないため、瓶Ａの内部は減圧状態により確実に保持される。この図３では、本発明とは異なって、中栓部１０は底部１０ａを有する上向き開口の皿状に形成されており、その底部１０ａの弾性力によっても、中栓部１０は瓶口Ａ１に対して突っ張った状態になる。なお、一点鎖線で示すように、ねじ蓋１の天板部２に、中栓部１０の底板１０ａに当たる筒部１３を形成することにより、底板１０ａの変形を防止しても良い。」
と訂正し、
８）明細書の段落【図面の簡単な説明】の
「【図３】第２実施例の一部断面図である。」
という記載を、
「【図３】参考図の一部断面図である。」
と訂正する。
（Ｃ）誤記の訂正を目的として、
特許請求の範囲の【請求項１】の第６段の「ねじ蓋９」という記載を、「ねじ蓋１」と訂正する。
（５４）【発明の名称】
ピルファープルーフキャップ
（５７）【特許請求の範囲】
　【請求項１】
　外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、
　前記ねじ蓋１の内部のうちその上部に軟質合成樹脂製のパッキン９が取り付けられている一方、
　前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、
　リング部５の係合部８がフランジ部Ａ２に係合した密封状態でねじ蓋１をねじ戻すと、ねじ蓋１がある程度の寸法Ｌ１だけ上昇してから前記脆弱部４が千切れる構成になっているピルファープルーフキャップであって、
　前記ねじ蓋１における筒部３の上端部内周面に環状凹所１２が形成されている一方、
　前記パッキン９には、前記瓶口Ａ１の内部にきっちり嵌入して瓶口Ａ１をシールする筒状の中栓部１０と、前記ねじ蓋
１
　
前記中栓部１０は、瓶口Ａ１に密着する外筒部とその内側に位置した内筒部とを下端において一体に連設した二重筒状に形成されており、
　前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、
　又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、
　更に、パッキン９の筒状縁部９ａと瓶口Ａ１との間に隙間が空くように設定していること、
を特徴とする合成樹脂製のピルファープルーフキャップ。
【発明の詳細な説明】
　【０００１】
　【発明の属する技術分野】
　本発明は、商品の流通段階での不正開封を確認できるようにしたピルファープルーフキャップに関するものである。
　【０００２】
　【従来の技術】
　この種のピルファープルーフキャップはねじ蓋を金属板で製造したものと合成樹脂製で製造したものとに大別され、このうち合成樹脂製のピルファープルーフキャップを図４（Ａ）で示している。
　【０００３】
　このピルファープルーフキャップ２０は、瓶口Ａ１に着脱自在に嵌着する下向き開口のねじ蓋２１と、このねじ蓋２１の下端縁にブリッジ状等の脆弱部２２を介して連接したリング部（ＴＥバンド：タッパー・エビデンス・バンド））２３とを備えており、前記リング部２３を、瓶口Ａ１に形成したフランジ部Ａ２の下面に下方から係合させることにより、密封した後にねじ蓋２１をねじ戻すと前記脆弱部２２が千切れて開封されるように構成している。
　【０００４】
　また、ねじ蓋２１における上部の内面には、ねじ蓋２１の天板部と瓶口Ａ１の上面との間をシールする平板状のパッキン２４を脱落不能に装着している。
　そして、ペットボトル等の種々の素材から成る瓶（容器）Ａに飲料等の液体Ｂを包装する工程は、図５に示すように、瓶Ａを起立状態で移送する途次において、先ず瓶Ａの内部にノズル２５から液体Ｂを充填し、次いで、整列して搬送されてきたピルファープルーフキャップ２０を瓶口Ａ１に順次嵌めて行き、これを図示しない締め具で瓶口Ａ１にねじ込むと言う工程で行われる。
　【０００５】
　この場合、液体Ｂを例えば８０℃等に加温して瓶Ａに充填し、液体Ｂが常温に冷めると瓶Ａの内部の圧力が大気圧以下になるように、すなわち、瓶Ａの内部が減圧状態に保持されるようにすることにより、パッキン２４を瓶口Ａ１の頂面に密着した状態に保持し、以って、瓶Ａの内部を密封状態に保持すると言う真空充填法（或いはホット充填法）が一般的に行われている（減圧室内で包装することによって瓶Ａの内部を減圧状態に保持する場合もある）。
　【０００６】
　【発明が解決しようとする課題】
　ところで、ねじ蓋２１をねじ戻すとすぐに脆弱部２２が千切れる訳ではなく、瓶口Ａ１のフランジ部Ａ２とリング部（ＴＥバンド）２４との間の遊びや、リング部２３及び脆弱部２２の伸び変形等があるため、ねじ蓋２１をねじ戻し始めてからある程度の寸法Ｌ１だけ上昇しないと脆弱部２２は千切れない。従って、例えば店頭等の流通段階において、いたずらや不注意により、開封に至らない状態までねじ蓋２１をねじ戻してそのままに放置したり、或いは、開封に至らない状態にねじ戻してから再び元の状態にねじ込んだりされる虞がある。
　【０００７】
　しかるに従来のピルファープルーフキャップ２０は、ねじ蓋２１をごく僅かでもねじ戻すとパッキン２４によるシールが解除されるため、減圧状態にあった瓶口Ａ１の内部に外部から空気が侵入して、瓶口Ａ１の内外の圧力差が解消されてしまうことになる。
　【０００８】
　そして、脆弱部２２が千切れない状態までねじ蓋２１をねじ戻した状態では、瓶口Ａ１の内外が連通した状態になるため、外観上は未開封の状態であっても実質的に開封されたのと同じ状態になっており、このため液体Ｂが変質する等の不都合が生じる。また、ねじ蓋２１を元の状態にねじ込んだ状態であっても、瓶Ａの内部の減圧状態は解除されてしまうため、シール機能は著しく低下してしまうことになる。
　【０００９】
　他方、図４（Ｂ）に示すように、ねじ蓋２１の天板部２１ａに、瓶口ＡＩの内周面に嵌合する筒部２６を一体形成することも行われているが、この構成では、筒部２６はいわば片持ち梁の状態で下向きに突出しているに過ぎないため、加温した液体Ｂの熱によって筒部２６がへたる（塑性変形する）現象を抑止することができず、このため十分なシール機能を発揮させることは困難であった。
　【００１０】
　本発明はこのような従来技術の問題点に鑑みなされたもので、流通段階で不注意又はいたずらによってねじ蓋が開封に至らない状態にねじ戻されても、密封状態が確実に保持されるようにしたピルファープルーフキャップを提供することを目的とするものである。
　【００１１】
　【課題を解決するための手段】
　本発明のピルファープルーフキャップは、外周面にねじ山とフランジ部Ａ２とが形成されている瓶口Ａ１にねじ込まれる下向き開口のねじ蓋１と、該ねじ蓋１における筒部３の下端縁に脆弱部４を介して連接したリング部（ＴＥバンド）５とを備えており、前記ねじ蓋１の内部のうちその上部に軟質合成樹脂製のパッキン９が取り付けられている一方、前記リング部５には、ねじ蓋１を瓶口Ａ１にねじ込み切ると前記瓶口Ａ１のフランジ部Ａ２に下方から係合してリング部５を上向き抜け不能に保持する係合部８が形成されており、リング部５の係合部８がフランジ部Ａ２に係合した密封状態でねじ蓋１をねじ戻すと、ねじ蓋１がある程度の寸法Ｌ１だけ上昇してから前記脆弱部４が千切れるという基本構成になっている。
　【００１２】
　そして、前記ねじ蓋１における筒部３の上端部内周面に環状凹所１２が形成されている一方、前記パッキン９には、前記瓶口Ａ１の内部にきっちり嵌入して瓶口Ａ１をシールする筒状の中栓部１０と、前記ねじ蓋
１
おり、前記中栓部１０は、瓶口Ａ１に密着する外筒部とその内側に位置した内筒部とを下端において一体に連設した二重筒状に形成されている。
　【００１３】
　更に、前記パッキン９の筒状縁部９ａをねじ蓋１の環状凹所１２内に上下動不能に嵌め込み、前記パッキン９の中栓部１０が瓶口Ａ１に嵌入する深さ寸法Ｌ２と、前記脆弱部４が千切れるのに要するねじ蓋１の上昇動寸法Ｌ１とを、Ｌ１＜Ｌ２の関係に設定するか、又は、前記パッキン９の筒状縁部９ａをねじ蓋１の環状凹所１２内に上下動可能に嵌め込んで、パッキン９とねじ蓋１とが上下方向に相対動し得る寸法Ｌ３と、前記パッキン９の中栓部１０が瓶口Ａ１に嵌入する深さ寸法Ｌ２と、前記脆弱部４が千切れるのに要するねじ蓋１の上昇動寸法Ｌ１とを、（Ｌ２＋Ｌ３）＞Ｌ１の関係に設定し、更に、パッキン９の筒状縁部９ａと瓶口Ａ１との間に隙間が空くように設定している。
　【００１４】
　【発明の奏する効果】
　このように構成すると、脆弱部が千切れるに至る以前においてねじ蓋のねじ戻しをやめて、そのままに放置したり元の状態にねじ込んだりしても、パッキンの中栓部が瓶口の内周面に密着した状態が保持されているから、真空充填法によって瓶口の内部が減圧状態になっている場合であっても、その減圧状態が保持されて、確実に密封した状態が保持される。
　【００１５】
　そして、ねじ蓋とは別体のパッキンに中栓部を形成して、この中栓部を瓶口の内周面に嵌め込んだものであるから、パッキンを、その中栓部
を二重筒状に形成して瓶口に強く突っ張らせたり、
　【００１６】
　従って本発明によると、流通段階で不注意やいたずらによってねじ蓋が開封に至らない状態までねじ戻された場合であっても、密封状態を確実に保持できる効果を有する。
　【００１７】
　また、パッキンの外周縁には下向きの筒状部が形成されているため、パッキンの外周部は変形しにくくなり、その結果、
二重筒状の
　【００１８】
　【発明の実施形態】
　次に、本発明の実施形態を図面に基づいて説明する。
　図１〜図２では第１実施形態を示しており、このうち図１（Ａ）は分離斜視図、図１（Ｂ）は部分的な分離断面図、図１（Ｃ）は開封後の斜視図、図２（Ａ）は密封状態の一部破断断面図、図２（Ｂ）は開封途次の状態の部分破断断面図である。
　【００１９】
　ピルファープルーフキャップは、天板部２の外周縁に筒部３を下向き突設して成るねじ蓋１を備えており、ねじ蓋１における筒部３の下端縁には、引き千切リ可能な細い多数の脆弱部４を介してリング部（ＴＥバンド）５を一体的に連結している。ねじ蓋１は、ポリプロピレン等の軟質合成樹脂で製造されている。
　【００２０】
　前記リング部５は、引き千切り可能な細巾部６を介してリング状に形成されており、リング部５のうち細幅部６を挟んだ一端部は、引き千切り不能な広幅状ブリッジ部７を介してねじ蓋１に連接されている。リング部５の内周面には、図２（Ａ）に示すように、瓶口Ａ１のフランジ部Ａ２に下方から引っ掛かる係合部８を形成している。敢えて述べるまでもないが、係合部８は鉤状やひれ状（羽根状）等の種々の形態にすることができる。
　【００２１】
　前記ねじ蓋１の内部のうちその上部には、ポリエチレン等の軟質合成樹脂から成るパッキン９を装着している。このパッキン９は、その略全体がねじ蓋１の天板部２に密着するように形成されていて、瓶口Ａ１の内周面にきっちり嵌まり込む二重筒状の中栓部１０を下向きに突設している。
すなわち、瓶口Ａ１に密着する外筒部その内側に位置した内周部とを下端において一体に連設した二重筒状の中栓部１０が形
　中栓部１０の外周面には、上下２段の環状突起１１を形成して、この環状突起１１で瓶口Ａ１をシールしている。パッキン９のうち瓶口Ａ１の頂面に当たる部位にも、環状突起を下向きに突設している。
　【００２２】
　また、パッキン９の外周縁は下向きの筒状に形成されており、この筒状縁部９ａを、ねじ蓋１における筒部３の上端部内面に形成した環状凹所１２に嵌め込むことにより、パッキン９をねじ蓋１から離脱不能に保持している。言うまでもないが、パッキン９はその弾性に抗してねじ蓋１内に押し込むことにより、ねじ蓋１の内部に装着される。
　【００２３】
　図２に示すように、パッキン９の筒状縁部９ａと瓶口Ａ１の外周面との間には隙間が空いている。また、本実施形態では、パッキン９の筒状縁部９ａは環状凹所１２に上下動不能の状態で嵌まっており、したがって、ねじ蓋１とパッキン９とが上下方向に相対動することはない。
　【００２４】
　ねじ蓋１は、図５に示したような工程を経て瓶口Ａ１にねじ込まれ、ねじ込みにてリング部５が弾性変形しつつ瓶口Ａ１のフランジＡ２を乗り越えて行き、完全にねじ込んだ状態では、リング部５の係合部８が瓶口Ａ１のフランジＡ２に対して上向き抜け不能に係合している。また、ホット充填法によって液体Ｂを充填すると瓶Ａの内部は減圧状態になっているため、パッキン９には、図２に白抜き矢印で示すように下向きの引っ張り力が作用している。
　【００２５】
　そして、ねじ蓋１をねじ戻すと、図２（Ｂ）に示すように、リング部５が瓶口Ａ１のフランジＡ２に係合した状態でねじ蓋１が上向き移動するため、脆弱部４が千切れると共にリング部５の細巾部６が千切れて、図１（Ｃ）に示すような状態となり、これによって開封される。なお、この例では、リング部５は広幅状ブリッジ部７を介してねじ蓋１に取付いたままになっている。これは、リサイクルの便やリング部５を幼児や動物が口に入れる問題等を考慮したものである。
　【００２６】
　上記のようにして開封するに際して、リング部５の係合部８と瓶口Ａ１のフランジ部Ａ２との間の遊びや、リング部５及び脆弱部４の伸び変形等のために、ねじ蓋１をねじ戻し始めてから脆弱部４が千切れるまでにはある程度の寸法（ストローク）Ｌ１が必要である。そこで、中栓部１０が瓶口Ａ１の内周面に嵌合している上下長さ寸法Ｌ２を、前記開封に要するねじ蓋１の上向き動寸法Ｌ１よりも大きい寸法に設定している。
　【００２７】
　すると、不注意やいたずらによって開封に至らない状態にねじ蓋１をねじ戻しても、パッキン９の中栓部１０は瓶口Ａ１の内周面に嵌合したままであるから、瓶Ａの内部は減圧状態に保持されたままとなって、密封状態が確実に保持されるのである。また、パッキン９はねじ蓋１とは別体に構成されているから、
中栓部１０は瓶口Ａ１に対して強く突っ張る二重筒状に
　【００２８】
　図３で
は、
　【００２９】
　この場合も、パッキン９の筒状縁部９ａと瓶口Ａ１の外周面との間に隙間が空いている。
　【００３０】
　この
図３において
　この図３
では、本発明とは異なって、
　【００３１】
　以上、本発明の実施形態を説明したが、本発明は更に種々の形態に具体化できる。例えば、リング部をねじ蓋とは別体に形成して、何らかの手段でねじ蓋１に離脱不能に取り付けても良い。また、本発明は、ねじ蓋を合成樹脂製とした場合に好適であるが、金属板製のねじ蓋にも適用できる。
【図面の簡単な説明】
　【図１】第１実施例を示す図である。
　【図２】第１実施例の使用状態を示す図である。
　【図３】
参考図の
　【図４】従来例を示す図である。
　【図５】瓶への包装工程を示す概略図である。
　【符号の説明】
　Ａ　瓶
　Ａ１　瓶口
　Ａ２　フランジ部
　１　ねじ蓋
　４　脆弱部
　５　リング部（ＴＥバンド）
　８　係合部
　９　パッキン
　１０　中栓部